(57)【要約】【課題】電力供給やデータ送受信を必要とされる転送速度や消費電力に応じて適宜選択して処理可能なカード型周辺装置およびカードシステムを提供する。【解決手段】電子部品部２１０と、接続対象機器から第１電力を受ける電源端子と信号端子のうち、少なくとも電源端子が形成されたコネクタ部２１３と、外部から非接触で伝送される電力を受けて第２電力を生成し、電子部品部に供給する電力供給部２３０と、電子部品部２１０は、コントローラ２１２の制御に応じて外部と信号端子を介してデータ転送可能な第１のインターフェース２１８と、コントローラの制御に応じて外部と無線によりデータ転送可能な第２のインターフェース２２０のうち、少なくとも第２のインターフェース２２０とを含み、コントローラは電源端子による第１電力の給電を受けているか電力供給部による第２電力を受けているかに応じてデータ転送速度を可変する機能を有する。【選択図】図１
2011134174.tif 000002
【特許請求の範囲】
【請求項１】
ケース体内に収容されたメモリを含み、第１電力または第２電力を動作電力として受ける電子部品部と、
接続対象機器と接続可能な接続端子として、当該接続対象機器から第１電力を受ける電源端子と信号端子のうち、少なくとも電源端子が形成されたコネクタ部と、
外部から非接触で伝送される電力を受けて上記第２電力を生成し、上記電子部品部に供給する電力供給部と、
上記電子部品部は、
コントローラと、
上記コントローラの制御に応じて外部と信号端子を介してデータ転送可能な第１のインターフェースと、上記コントローラの制御に応じて外部と無線によりデータ転送可能な第２のインターフェースのうち、少なくとも上記第２のインターフェースと、を含み、
上記コントローラは、
上記電源端子による第１電力の給電を受けているか上記電力供給部による第２電力を受けているかに応じてデータ転送速度を可変する機能を有する
カード型周辺装置。
【請求項２】
低速度でデータを転送する低速度モードと、
上記低速度モード時より電力消費が大きい高速度でデータを転送する高速度モードと、を有し、
上記コントローラは、
高速度モードでの動作が必要な場合に、上記第１電力の給電が可能であるときは当該第１電力で高速度モードのデータ転送動作を行う
請求項１記載のカード型周辺装置。
【請求項３】
上記コントローラは、
第２電力の給電のみが可能であるときは、第２電力で低速度モードのデータ転送動作を行う
請求項２記載のカード型周辺装置。
【請求項４】
上記コネクタ部には、電源端子および信号端子を含み、
上記コントローラは、
上記第１のインターフェースおよび第２のインターフェースを含み、
上記第１のインターフェースおよび第２のインターフェースを排他的に使用して外部との通信を行う
請求項１から３のいずれか一に記載のカード型周辺装置。
【請求項５】
低速度でデータを転送する低速度モードと、
上記低速度モード時より電力消費が大きい高速度でデータを転送する高速度モードと、を有し、
上記コントローラは、
低速度モードで動作する場合には、上記第１のインターフェースまたは第２のインターフェースを通してデータ転送を行い、
高速度モードで動作する場合には、上記第１のインターフェースを通してデータ転送を行う
請求項１から４のいずれか一に記載のカード型周辺装置。
【請求項６】
上記電源端子は、
上記メモリカードの側面部に形成されている
請求項１から５のいずれか一に記載のカード型周辺装置。
【請求項７】
上記メモリカードの両側面部に電源端子およびグランド端子を有し、
上記電源端子およびグランド端子は、
接続対象機器の接触子が、上記グランド端子が電源端子より先に接触するように配置されている
請求項１から６のいずれか一に記載のカード型周辺装置。
【請求項８】
コネクタ部を有するカード型周辺装置と、
上記コネクタ部を介して上記カード周辺装置と接続され、第１電力を供給可能な第１のホスト装置と、
上記カード型周辺装置と無線通信可能な第２のホスト装置と、
上記カード型周辺装置に非接触により電力を伝送可能な電力供給装置と、を有し、
上記カード型周辺装置は、
ケース体内に収容されたメモリを含み、第１電力または第２電力を動作電力として受ける電子部品部と、
上記第１のホスト装置と接続可能な接続端子として、当該第１のホスト装置から第１電力を受ける電源端子と信号端子のうち、少なくとも電源端子が形成された上記コネクタ部と、
外部から非接触で伝送される電力を受けて上記第２電力を生成し、上記電子部品部に供給する電力供給部と、
上記電子部品部は、
コントローラと、
上記コントローラの制御に応じて上記第１のホスト装置と信号端子を介してデータ転送可能な第１のインターフェースと、上記コントローラの制御に応じて上記第２のホスト装置と無線によりデータ転送可能な第２のインターフェースのうち、少なくとも上記第２のインターフェースと、を含み、
上記コントローラは、
上記電源端子による第１電力の給電を受けているか上記電力供給部による第２電力を受けているかに応じてデータ転送速度を可変する機能を有する
カードシステム。
【発明の詳細な説明】
【技術分野】
【０００１】
本発明は、メモリカード等のカード型周辺装置およびカードシステムに関するものである。
【背景技術】
【０００２】
一般的なメモリカードは、接続対象機器のコネクタに挿入した状態でコネクタの接触ピンがカードに配設された信号端子および電源端子と接触し、電源端子を介して電力が供給され、信号端子を介してホスト装置とのデータの読み出しおよび書き込みを行っている。
この種のカード型周辺装置としては、特許文献１等に開示されている。
【０００３】
また、無線によってデータの転送を行うことが可能なカードも実用化されつつある。
この無線通信機能を有するカードは、電力供給に関してはコネクタからの給電が必要である。
【０００４】
同様に、無線による電力供給は、主に電磁誘導の原理によるものとなるが、その供給効率は最大でも８０％程度を見込んでいる。
【先行技術文献】
【特許文献】
【０００５】
【特許文献１】特開２００９−５９２５３号公報
【発明の概要】
【発明が解決しようとする課題】
【０００６】
ところが、上述したように無線通信機能を有するカードは、電力供給に関してはコネクタからの給電が必要であり、ホストとの機械的なインターフェースとしてコネクタおよびスロットが介在しなければメモリカードに対する記録および読み出しはできない。
また、現状では無線によるデータ転送は有線接続と比較して大きな消費電力が必要となる。
【０００７】
無線による電力供給は、主に電磁誘導の原理によるものとなるが、その供給効率は最大でも８０％程度を見込んでおり、大きな電力をカードに供給するためには、ロスされる電力も比例して大きくなる。
これらのロスされた電力はほとんどが熱に変換されるため、ホスト機器やカードに熱的な影響を与える可能性がある。
また、カード側に搭載する２次側コイルのサイズが受ける制約から、データを高速に転送する電力が供給できない可能性がある。
特に電力供給をポータブル機器のバッテリーを用いて行うような場合には、顕著にその影響を受けることとなる。
【０００８】
本発明は、電力供給やデータ送受信を必要とされる転送速度や消費電力に応じて適宜選択して処理可能なカード型周辺装置およびカードシステムを提供することにある。
【課題を解決するための手段】
【０００９】
本発明の第１の観点のカード型周辺装置は、ケース体内に収容されたメモリを含み、第１電力または第２電力を動作電力として受ける電子部品部と、接続対象機器と接続可能な接続端子として、当該接続対象機器から第１電力を受ける電源端子と信号端子のうち、少なくとも電源端子が形成されたコネクタ部と、外部から非接触で伝送される電力を受けて上記第２電力を生成し、上記電子部品部に供給する電力供給部と、上記電子部品部は、コントローラと、上記コントローラの制御に応じて外部と信号端子を介してデータ転送可能な第１のインターフェースと、上記コントローラの制御に応じて外部と無線によりデータ転送可能な第２のインターフェースのうち、少なくとも上記第２のインターフェースと、を含み、上記コントローラは、上記電源端子による第１電力の給電を受けているか上記電力供給部による第２電力を受けているかに応じてデータ転送速度を可変する機能を有する。
【００１０】
本発明の第２の観点のカードシステムは、コネクタ部を有するカード型周辺装置と、上記コネクタ部を介して上記カード周辺装置と接続され、第１電力を供給可能な第１のホスト装置と、上記カード型周辺装置と無線通信可能な第２のホスト装置と、上記カード型周辺装置に非接触により電力を伝送可能な電力供給装置と、を有し、上記カード型周辺装置は、ケース体内に収容されたメモリを含み、第１電力または第２電力を動作電力として受ける電子部品部と、上記第１のホスト装置と接続可能な接続端子として、当該第１のホスト装置から第１電力を受ける電源端子と信号端子のうち、少なくとも電源端子が形成された上記コネクタ部と、外部から非接触で伝送される電力を受けて上記第２電力を生成し、上記電子部品部に供給する電力供給部と、上記電子部品部は、コントローラと、上記コントローラの制御に応じて上記第１のホスト装置と信号端子を介してデータ転送可能な第１のインターフェースと、上記コントローラの制御に応じて上記第２のホスト装置と無線によりデータ転送可能な第２のインターフェースのうち、少なくとも上記第２のインターフェースと、を含み、上記コントローラは、上記電源端子による第１電力の給電を受けているか上記電力供給部による第２電力を受けているかに応じてデータ転送速度を可変する機能を有する。
【発明の効果】
【００１１】
本発明によれば、電力供給やデータ送受信を必要とされる転送速度や消費電力に応じて適宜選択して処理できる利点がある。
【図面の簡単な説明】
【００１２】
【図１】本発明の第１の実施形態に係るカード型周辺装置を採用したカードシステムの構成例を示す図である。
【図２】本実施形態に係るメモリカードの第１の構成例を示す斜視図である。
【図３】本実施形態に係るメモリカードの第２の構成例を示す斜視図である。
【図４】非接触給電の原理を説明するための図である。
【図５】接触電力供給における高速度モード動作である第１の動作モードの処理について説明するためのフローチャートである。
【図６】接触電力供給における低速度モード動作である第２の動作モードの処理について説明するためのフローチャートである。
【図７】非接触電力供給における低速度モード動作である第３の動作モードの処理について説明するためのフローチャートである。
【図８】本発明の第２の実施形態に係るカード型周辺装置を採用したカードシステムの構成例を示す図である。
【図９】本発明の第３の実施形態に係る電源端子が側部に形成されたメモリカードの第１の構成例を示す図である。
【図１０】本発明の第３の実施形態に係る電源端子が側部に形成されたメモリカードの第２の構成例を示す図である。
【図１１】第３の実施形態において側面電源端子での給電時のコネクタの接触状態の一例を示す図である。
【図１２】本発明の第４の実施形態に係る電源端子が側部に形成されたメモリカードの構成例を示す図である。
【図１３】第４の実施形態において側面電源端子での給電時のコネクタの接触状態の一例を示す図である。
【図１４】本発明の第５の実施形態に係る電源端子が側部に形成されたメモリカードの構成例を示す図である。
【図１５】第５の実施形態において側面電源端子での給電時のコネクタの接触状態の一例を示す図である。
【図１６】本発明の第６の実施形態に係る電源端子、信号端子をなくし無線カードとして形成されたメモリカードの第１の構成例を示す図である。
【図１７】本発明の第７の実施形態に係る電源端子、信号端子をなくし無線カードとして形成されたメモリカードの第２の構成例を示す図である。
【図１８】本発明の第８の実施形態に係る電源端子、グランド端子が側部に形成されたメモリカードの構成例を示す図である。
【発明を実施するための形態】
【００１３】
以下、本発明の実施形態を図面に関連付けて説明する。
なお、説明は以下の順序で行う。
１．第１の実施形態
２．第２の実施形態
３．第３の実施形態
４．第４の実施形態
５．第５の実施形態
６．第６の実施形態
７．第７の実施形態
８．第８の実施形態
【００１４】
＜第１の実施形態＞
図１は、本発明の第１の実施形態に係るカード型周辺装置を採用したカードシステムの構成例を示す図である。
図２は、本実施形態に係るメモリカードの第１の構成例を示す斜視図である。
図３は、本実施形態に係るメモリカードの第２の構成例を示す斜視図である。
【００１５】
本カードシステム１０は、カード型周辺装置としてのメモリカード２０、ホスト側（１次側）電力供給装置３０、第１のホスト装置４０、および第２のホスト装置５０を含んで構成されている。
【００１６】
なお、第１のホスト装置４０および第２のホスト装置５０は、一つのビデオカメラやパーソナルコンピュータ（ＰＣ）等の電子機器として一体的に配置されてもよく、また、別の機器として構成されてもよい。
ホスト側電力供給装置３０は、第２のホスト装置５０と一体的に配置されてもよく、また、別の機器として構成されてもよい。
【００１７】
メモリカード２０は、第１のホスト装置４０から接触状態にある電源端子を介して直接供給される第１電力ＰＷＲ１または電力供給装置３０により非接触で電力供給を受けた第２電力ＰＷＲ２により動作する電子部品部２１０を有する。
メモリカード２０は、電力供給装置３０により非接触で電力供給を受けた第２電力を生成する２次側電力供給部２３０を有する。
なお、接触状態で第１電力ＰＷＲ１を受ける電源端子としては、たとえば信号端子と並列に配列された電源端子を適用することが可能である。
また、接触状態で第１電力ＰＷＲ１を受ける電源端子としては、後で詳述するように、メモリカード２０の側面部等に形成される外部電源端子（側面電極）を適用することが可能である。
この場合、第１のホスト装置４０側にメモリカード２０がコネクタ部を介して接続された状態でメモリカード２０の側面の電源端子に接触して給電可能なコネクタ接触子等が設けられる。
【００１８】
本実施形態に係るメモリカード２０の電子部品部２１０は、図１に示すように、内部にフラッシュメモリである不揮発性メモリ２１１、コントローラ２１２、および第１のホスト装置４０のコネクタ部４１に接続するためのコネクタ部２１３を含んで構成される。
【００１９】
コントローラ２１２は、水晶発振器２１４、メモリインターフェースシーケンサ２１５、レジスタ２１６、データバッファ２１７、コネクタ部２１３側の第１のインターフェース（Ｉ／Ｆ１）２１８を有する。
コントローラ２１２は、通信アンテナ２１９、第２のホスト装置５０と無線通信処理を行う第２のインターフェース（Ｉ／Ｒ２）２２０、切り替えスイッチ２２１、およびインターフェースセレクタ２２２、およびバスＢＳを含む。
【００２０】
コネクタ部２１３は、メモリカード外部の第１のホスト装置４０から不揮発性メモリ２１１にコントローラ２１２を介してアクセスして記録、読み出しを行うための一列に配列された信号端子および電源端子を含む端子部を有する。
メモリカード２０は、この端子部２１３ａにより図示しないホスト機器にあるコネクタの接触ピンを介して、第１電力ＰＷＲ１の供給を受け、データのやり取り（送受信）を行うことが可能である。
また、メモリカード２０は、通信アンテナ２１９を通して、第２のホスト装置５０と近距離無線によりデータの送受信を行うことが可能である。
この場合も、コネクタ部２１３の端子部を通して第１電力を受けることも可能であり、また、２次側電力供給部２３０から第２電力ＰＷＲ２を受けることも可能である。
【００２１】
メモリカード２０は、コネクタ部２１３、第１のインターフェース２１８を通してデータ送受信を行うか、通信アンテナ２１９、第２のインターフェースを通してデータの送受信を行うかは、インターフェースセレクタ２２２により適宜選択される。
インターフェースセレクタ２２２は、たとえばデータ転送モードに応じて切り替えスイッチ２２１の切り替えを適宜選択する。
【００２２】
たとえばデータの高速転送モードの場合または低速転送モードで信号端子でデータ転送を行う場合、インターフェースセレクタ２２２はコネクタ部２１３、第１のインターフェース２１８を通してデータ送受信を行うように、切り替えスイッチ２２１を切り替える。
データの低速転送モードで無線通信を行う場合は、インターフェースセレクタ２２２は、通信アンテナ２１９、第２のインターフェース２２０を通してデータ送受信を行うように、切り替えスイッチ２２１を切り替える。
【００２３】
本実施形態においては、動作モードとして、コネクタ部２１３を介する接触電力供給における、たとえば低速度モードに比較して電力消費が多い高速度モード（第１の動作モード）、および接触電力供給における低速度モード（第２の動作モード）を有する。
本実施形態においては、動作モードとして、１次側電力供給装置３０を用いた非接触電力供給における低速度モード（第３の動作モード）を有する。
本カードシステム１０は、これらの動作モードに応じた制御がメモリカード２０およびホスト装置４０，５０にて行われる。
接触電力供給による第１電力ＰＷＲ１としては、電圧ＶＣＣと基準電圧ＶＳＳが含まれる。
これらの制御については、後でさらに詳述する。
【００２４】
換言すると、本実施形態においては、たとえば低速転送モードに比較して電力消費が多い高速転送モード時には、端子部により図示しないホスト機器にあるコネクタの接触ピンを介して、第１電力の供給を受け、データのやり取り（送受信）を行うように制御される。
低速転送モード時には、２次側電力供給部２３０から第２電力ＰＷＲ２を受ける、あるいは第１電力ＰＷＲ１の供給を受けるかが適宜選択される。
【００２５】
図２および図３に示すように、メモリカード２０Ａ，２０Ｂは、直方体状に形成され、ケース体２４０の第１面２４１と、第１面２４１の対向面である第２面２４２（図示されていない）間に、電子部品部２１０、２次側電力供給部２３０が主として収容される。
また、メモリカード２０Ａ，２０Ｂの長手方向の一端部にコネクタ部２１３の端子部１２１３ａが一または複数形成されている。
そして、本実施形態のメモリカード２０Ａ，２０Ｂは、たとえば第１面２４１の略中央部に、２次側電力供給部２３０の２次側コイル２３１を収容するコイル収容部２４３が形成されている。
【００２６】
２次側電力供給部２３０は、２次側コイル２３１、整流回路２３２、出力ゲート２３３、制御ＩＣ（制御部）２３４、および電力供給端子Ｔ（＋），Ｔ（−）を有する。
２次側電力供給部２３０は、１次側電力供給装置３０による電磁誘導によって、２次側コイル２３１発生する電流を整流回路２３２で整流して、ＤＣ電圧をメモリカード２０のフラッシュメモリ２１１、コントローラ２１２、および制御ＩＣ２３４に供給する。
２次側電力供給部２３０は、電力供給端子Ｔ（＋）を介して出力ゲート２３３から出力されたＤＣ電圧ＶＯＵＴ（＋）を供給し、電力供給端子（−）は基準電位ＶＳＳ（接地電位ＧＮＤ）に接続されている。
２次側電力供給部２３０は、制御ＩＣ２３４により整流されたＤＣ電圧の出力、非出力を制御する。
制御ＩＣ２３４は、たとえば、データの高速転送モードの場合は、ＤＣ電圧の出力を非出力として、低速転送モードのときはＤＣ電圧を出力するように出力ゲート２３３を制御するように構成可能である。
なお、これは一例であり、制御ＩＣ２３４が整流回路２３２からＤＣ電圧を受けた場合には、出力ゲート２３３からＤＣ電圧を供給するように構成することも可能である。
【００２７】
１次側電力供給装置３０は、給電側である１次側コイル３１、制御ＩＣ３２、およびコイルドライバ回路３３を有する。
制御ＩＣ３２、およびコイルドライバ回路３３は電源電圧ＶＤＤおよび基準電位ＶＳＳを受けて動作する。
１次側電力供給装置３０は、非接触（無線）で電力を受電側であるメモリカード２０の２次側電力供給部２３０に伝送する。
【００２８】
図４は、非接触給電の原理を説明するための図である。
電力供給装置３０のコイルドライバ回路３３は、制御ＩＣ３２に制御の下、図４に示すように、給電側の１次側コイル３１に電流Ｉ１を流し、電磁誘導によって、メモリカード２０の受電側の２次側コイル２３１に電流Ｉ２を発生させる。
メモリカード２０の２次側電力供給部２３０においては、誘起された電流Ｉ２を整流して、これに応じたＤＣ電圧がフラッシュメモリ２１１およびコントローラ２１２に供給される。
【００２９】
第１のホスト装置４０は、ＰＣ（パーソナルコンピュータ）、デジタルスチルカメラ、デジタルビデオカメラ、オーディオレコーダ等の機器により構成される。
第１のホスト装置４０は、図示しない制御系であるＣＰＵ、メモリ、ディスプレイ、入出力処理（Ｉ／Ｏ）部を有し、さらにメモリカード２０と接続するためのコネクタ部４１およびメモリＩ／Ｆ（インターフェース）４２を有する。
第１のホスト装置４０は、コネクタ部４１にメモリカード２０のコネクタ部２１３が接続されることにより、複数の信号端子および電源端子が接触して接続される。
第１のホスト装置４０は、メモリカードの接続状態であるか非接続状態にあるかを検出する機能を有し、接続状態にあるメモリカード２０との認証やデータの送受信を、信号端子を通して行う機能を有している。
第１のホスト装置４０は、接続状態にあるメモリカード２０に対して電源端子を通して第１電力ＰＷＲ１を伝送供給する機能を有する。
第１のホスト装置４０は、たとえば接続状態にあるメモリカード２０と第１の動作モードである接触電力供給における高速度モード動作を行う場合には、たとえば速度遷移コマンドを発行する機能を有する。
【００３０】
第２のホスト装置５０は、ＰＣ（パーソナルコンピュータ）、デジタルスチルカメラ、デジタルビデオカメラ、オーディオレコーダ等の機器により構成される。
第２のホスト装置５０は、メモリカード２０との近距離無線通信を行うことが可能な非接触通信インターフェース（Ｉ／Ｆ）５１を有する。
非接触通信インターフェース５１は、通信用のインダクタコイルや送受信回路（変復調回路）を含んで構成される。
第２のホスト装置５０は、近接されたメモリカード２０の通信アンテナ２１９、第２のインターフェース２２０を通して非接触（無線）通信が確立状態にあるか非確立状態にあるかを判断する機能を有する。
第２のホスト装置５０は、非接触通信が確立状態にある場合は、いわゆる低速度モードに応じたデータの送受信を無線で行う機能を有する。
【００３１】
以上のように、本第１の実施形態のカードシステム１０においては、メモリカード２０は、内部にフラッシュメモリ２１１とそれを制御するコントローラ２１２を有する。
メモリカード２０は、カード外部からのデータの記録および読み出しのために、複数の信号端子および電源端子が並列に配列されたコネクタ部２１３を有する。
この接触型のデータの記録および読み出し機能を第１の記録および読み出し通信機能とすると、メモリカード２０は、第２の記録および読み出し通信機能として、非接触の近距離無線による通信機能を含み、第１の記録および読み出し通信機能と排他的に使用する。
【００３２】
たとえば、コネクタ部２１３の電源端子から第１電力ＰＷＲ１の供給を受けた場合には、並列に配置された信号端子を用いて、データの記録および読み出しを行う。この機能は、通常のメモリカードの利用形態と同等である。
【００３３】
メモリカード２０は、無線通信時の給電用として非接触による電力伝送機能である２次側電力供給部２３０により、電子部品部２１０に電力を供給する機能を有する。
本実施形態において、電力の供給原理としては、図４に示すような、電磁誘導型が適用される。ただし、電磁誘導型に限られるものではない。
前述したように、図４中にある給電側である１次側コイル３１に電流Ｉ１を流し、電磁誘導によって、受電側の２次側コイル２３１に発生する電流Ｉ２を整流してメモリカード２０のコントローラ２１２およびフラッシュメモリ２１１に供給する。
【００３４】
ただし、このような電磁誘導による電力供給は、現状では最も良い条件であっても、伝送効率が７０〜８０％を超えることは困難である。
その条件は主に、送電側コイル３１と給電側コイル２３１の平面状の位置や距離などに依存する。
また、無線によるデータ転送は、ミリ波等を利用することが可能であるが、一般的に転送速度とそれに必要とされる電力は比例の関係にある。
したがって、無線によるデータ転送は、コネクタによる接触状態で実現できる最高速度を達成するためには、一般的には接触時よりも多くの電力が必要とされることは簡単に推察される。
【００３５】
本第実施形態のメモリカード２０は、給電機能を非接触の場合と接触の場合２種類を有しており、その方法（供給電力量）に依存して、データ転送速度を可変する機能を有している。
たとえばデータ転送は無線で行うが、必要とされる電力が非接触による給電で供給できる電力を超えてしまうような場合には、カードは無線通信および無線（非接触）給電時には、その最高の速度でデータを転送することができない。
メモリカード２０は、高速転送が必要な状況で、コネクタ部２１３による給電が可能な場合には、電源端子から、接触式の給電によりカードのデータ転送動作を行い、非接触による給電動作を行う場合には、低い電力で動作する低速度モードに切り替わる。
【００３６】
接触電力供給における高速度モード動作である第１の動作モード、接触電力供給における低速度モード動作である第２の動作モード、および非接触電力供給における低速度モード動作である第３の動作モードの処理を図５〜図７に関連付けて説明する。
【００３７】
まず、接触電力供給における高速度モード動作である第１の動作モードの処理について図５（Ａ）および（Ｂ）に関連付けて説明する。
図５（Ａ）および（Ｂ）は、接触電力供給における高速度モード動作である第１の動作モードの処理について説明するためのフローチャートである。図５（Ａ）がホスト装置側の処理を、図５（Ｂ）がメモリカード側の処理を示している。
【００３８】
第１の動作モードにおいて、第１のホスト装置４０とメモリカード２０はコネクタ部４１とコネクタ部２１３で接続状態にある。メモリカード２０へは第１のホスト装置４０から接触状態で電力が供給される。
第１のホスト装置４０では、電源投入後（ＳＴ１）、スイッチ入力があると（ＳＴ２）、メモリカード起動シーケンスとなる（ＳＴ３）。
次に、第１のホスト装置４０では、低速度転送から高速度転送に速度を遷移させるための、速度遷移コマンドが発行され、メモリカード２０側に転送される（ＳＴ４）。
そして、第１のホスト装置４０は、メモリカード２０が高速データ転送モードである第１の動作モードに遷移後、メモリカード２０とのデータの送受信が行われる（ＳＴ５）。
そして、たとえばデータ送受信が終了し、メモリカード２０のコネクタ部２１３が第１のホスト装置４０のコネクタ部４１から取り去られると、メモリカード２０の取り去りが検出される（ＳＴ６）。
【００３９】
メモリカード２０では、スイッチ入力があると（ＳＴ１１）、低電力、非接触（無線）受電モードでメモリコントローラ２１２が起動する（ＳＴ１２）。
メモリコントローラ２１２は、起動後、第１のホスト装置４０からの速度遷移コマンドを受信する（ＳＴ１３）。
これにより、メモリカード２０は、高速データ転送モードである第１の動作モードに遷移する（ＳＴ１４）。
メモリコントローラ２１２の制御の下、高速データ転送モードである第１の動作モードでのデータの送受信が行われる（ＳＴ１５）。
そして、たとえばデータ送受信が終了し、メモリカード２０のコネクタ部２１３が第１のホスト装置４０のコネクタ部４１から取り去られる（ＳＴ１６）。
【００４０】
次に、接触電力供給における低速度モード動作である第２の動作モードの処理について図６（Ａ）および（Ｂ）に関連付けて説明する。
図６（Ａ）および（Ｂ）は、接触電力供給における低速度モード動作である第２の動作モードの処理について説明するためのフローチャートである。図６（Ａ）がホスト装置側の処理を、図６（Ｂ）がメモリカード側の処理を示している。
【００４１】
第２の動作モードにおいても、第１のホスト装置４０とメモリカード２０はコネクタ部４１とコネクタ部２１３で接続状態にある。メモリカード２０へは第１のホスト装置４０から接触状態で電力が供給される。
第１のホスト装置４０では、電源投入後（ＳＴ２１）、スイッチ入力があると（ＳＴ２２）、メモリカード起動シーケンスとなる（ＳＴ２３）。
そして、第１のホスト装置４０は、メモリカード２０がデータ転送可能になると、メモリカード２０とのデータの送受信が行われる（ＳＴ２４）。
そして、たとえばデータ送受信が終了し、メモリカード２０のコネクタ部２１３が第１のホスト装置４０のコネクタ部４１から取り去られると、メモリカード２０の取り去りが検出される（ＳＴ２５）。
【００４２】
メモリカード２０では、スイッチ入力があると（ＳＴ３１）、低電力、非接触（無線）受電モードでメモリコントローラ２１２が起動する（ＳＴ３２）。
メモリコントローラ２１２の制御の下、低速度データ転送モードである第２の動作モードでのデータの送受信が行われる（ＳＴ３３）。
そして、たとえばデータ送受信が終了し、メモリカード２０のコネクタ部２１３が第１のホスト装置４０のコネクタ部４１から取り去られる（ＳＴ３４）。
【００４３】
次に、非接触電力供給における低速度モード動作である第３の動作モードの処理について図７（Ａ）および（Ｂ）に関連付けて説明する。
図７（Ａ）および（Ｂ）は、非接触電力供給における低速度モード動作である第３の動作モードの処理について説明するためのフローチャートである。図７（Ａ）がホスト装置側の処理を、図７（Ｂ）がメモリカード側の処理を示している。
【００４４】
第３の動作モードにおいては、第２のホスト装置５０とメモリカード２０が無線通信可能な離間した状態にある。メモリカード２０はホスト側電力供給装置３０に近接配置されてホスト側電力供給装置３０から非接触状態で電力が供給される。
第３のホスト装置５０では、電源投入後（ＳＴ４１）、待機状態となり（ＳＴ４２），スイッチ入力があると（ＳＴ４３）、メモリカード２０側と無線で認証が行われる（ＳＴ４４）。
第３のホスト装置５０では、ステップＳＴ４４において認証が取れると、メモリカード起動シーケンスとなる（ＳＴ４５）。
そして、第２のホスト装置５０は、メモリカード２０がデータ転送可能になると、メモリカード２０とのデータの送受信が行われる（ＳＴ４６）。
そして、たとえばデータ送受信が終了し、メモリカード２０のコネクタ部２１３が第２のホスト装置５０から無線通信が困難な距離に離間される（取り去られる）と、メモリカード２０の取り去りとして検出される（ＳＴ４７）。
【００４５】
メモリカード２０では、スイッチ入力があると（ＳＴ５１）、第２のホスト装置５０側と無線で認証が行われる（ＳＴ５２）。
メモリカード２０は、ステップＳＴ５２で認証がとれると、低電力、非接触（無線）受電モードでメモリコントローラ２１２が起動する（ＳＴ５３）。
メモリコントローラ２１２の制御の下、電力受電状態で、低速度データ転送モードである第３の動作モードでのデータの送受信が行われる（ＳＴ５４）。
そして、たとえばデータ送受信が終了し、メモリカード２０が第２のホスト装置５０から無線通信が困難な距離に離間される（取り去られる）（ＳＴ５５）。
【００４６】
なお、第２の動作モードにおいては、低速度データ転送を無線ではなく第１のホスト装置４０との間で行う場合を説明したが、第１のホスト装置４０により接触電力供給を受けて、第２のホスト装置５０との間に無線通信を行うように構成することも可能である。
【００４７】
以上説明したように、本第１の実施形態のカードシステムによれば、電力供給やデータ送受信を必要とされる転送速度や消費電力に応じて適宜選択して処理可能である。
【００４８】
＜２．第２の実施形態＞
図８は、本発明の第２の実施形態に係るカード型周辺装置を採用したカードシステムの構成例を示す図である。
【００４９】
本第２の実施形態に係るカードシステム１０Ａが第１の実施形態に係るカードシステム１０と異なる点は、第１のホスト装置４０Ａのコネクタ部４１Ａとメモリカード２０のコネクタ部２１３との接続が、信号端子がなく電源端子だけとなっていることにある。
それに伴い、メモリカード２０では、第１のインターフェース２１８、スイッチ２２１、およびインターフェースセレクタ２２２が不要となっている。
【００５０】
本カードシステム１０Ａでは、接触状態でのデータ転送がない他は第１の実施形態と同様である。
【００５１】
本第２の実施形態によれば、第１の実施形態と同様の効果を得ることができる。
【００５２】
なお、データ転送を無線で行い、電力供給を接触にて行うようなケースを想定した場合、電力供給のためだけに通常のデータ通信用のコネクタを備えたスロットにカードを挿入するのは合理的でない。
また、非接触による電力供給機能は、カード内にコイルや整流回路などを有することになる。
これらをカード内部に持つことによって、フラッシュメモリを搭載するスペースが減少し、記録容量の大容量化の妨げになるおそれがある。
このようなことから、無線によるデータの記録/読み出しは行うが、電力の供給は接触端子を用いるという組み合わせは、メモリカードにとって実用的である。
【００５３】
ここで、メモリカード２０に接触状態で電力を受ける電源端子として、メモリカード２０の側面部等に形成される外部電源端子（側面電極）を適用する例について説明する。
【００５４】
＜３．第３の実施形態＞
図９（Ａ）および（Ｂ）は、本発明の第３の実施形態に係る電源端子が側部に形成されたメモリカードの第１の構成例を示す図である。
図１０（Ａ）および（Ｂ）は、本発明の第３の実施形態に係る電源端子が側部に形成されたメモリカードの第２の構成例を示す図である。
【００５５】
図９（Ａ）および（Ｂ）のメモリカード２０Ａは図２のメモリカードに相当する。ただし、図９（Ａ）および（Ｂ）は第２面２４２側からの斜視図を示していることから、コイル収容部は図示されていない。
図１０（Ａ）および（Ｂ）のメモリカード２０Ｂは図３のメモリカードに相当する。
【００５６】
図示するように、メモリカード２０Ａ，２０Ｂは、長手方向の両側部であって、コネクタ部２１３の近傍に、側面電源端子２５１，２５２は配置されている。
【００５７】
図１１は、第３の実施形態において側面電源端子での給電時のコネクタの接触状態の一例を示す図である。
【００５８】
たとえば、第１のホスト装置４０側のコネクタ部４１，４１Ａには、メモリカード２０がコネクタ部２１３を介して接続された状態でメモリカード２０の側面電源端子２５１（２５２）に接触して給電可能なコネクタ接触子４１１の接触ピン４１２等が設けられる。
接触子４１１の先端側に形成される接触ピン４１２は、メモリカード２０Ａの内側に向かって押圧する弾性力を持たせてあり、側面電源端子２５１，２５２にその弾性力をもって押圧力を印加して、接触状態を良好に保持する。
すなわち、コネクタ部の接触ピン４１２の少なくとも一方は、コネクタ内でカードを保持するロックバネの機能を兼ね備えている。
【００５９】
＜４．第４の実施形態＞
図１２は、本発明の第４の実施形態に係る電源端子が側部に形成されたメモリカードの構成例を示す図である。
【００６０】
本第４の実施形態に係るメモリカード２０Ｃが第３の実施形態に係るメモリカード２０Ａと異なる点は、コネクタ部２１３の近傍ではなく、側面電源端子２５１がカード側面に内側に向かって窪んで形成されたノッチ２６１内の側面に形成されていることにある。
【００６１】
図１３は、第４の実施形態において側面電源端子での給電時のコネクタの接触状態の一例を示す図である。
【００６２】
この場合も、第１のホスト装置４０側のコネクタ部４１，４１Ａには、メモリカード２０Ｃがコネクタ部２１３を介して接続された状態でメモリカード２０の側面電源端子２５１に接触して給電可能なコネクタ接触子４１１ａの接触ピン４１２ａ等が設けられる。
接触子４１１ａの先端側に形成される接触ピン４１２ａは、メモリカード２０Ｃの内側に向かって押圧する弾性力を持たせてあり、側面電源端子２５１，２５２にその弾性力をもって押圧力を印加して、接触状態を良好に保持する。
すなわち、コネクタ部の接触ピン４１２ａの少なくとも一方は、コネクタ内でカードを保持するロックバネの機能を兼ね備えている。
これにより、前述の静電気の対策を講じつつ、接触する端子に対するフィンガープリントなどによる汚れからの保護を行う。
【００６３】
＜５．第５の実施形態＞
図１４（Ａ）および（Ｂ）は、本発明の第５の実施形態に係る電源端子が側部に形成されたメモリカードの構成例を示す図である。
【００６４】
本第５の実施形態に係るメモリカード２０Ｄが第４の実施形態に係るメモリカード２０Ｃと異なる点は側面電源端子２５１がカード側面に内側に向かって窪んで形成されたノッチ２６１，２６２内の側面ではなく、底面に形成されていることにある。
【００６５】
図１５は、第５の実施形態において側面電源端子での給電時のコネクタの接触状態の一例を示す図である。
【００６６】
この場合も、第１のホスト装置４０側のコネクタ部４１，４１Ａには、メモリカード２０Ｃがコネクタ部２１３を介して接続された状態でメモリカード２０の側面電源端子２５１に接触して給電可能なコネクタ接触子４１１ｂの接触ピン４１２ｂ等が設けられる。
接触子４１１ｂの先端側に形成される接触ピン４１２ｂは、メモリカード２０Ｄの面２４１側に向かって押圧する弾性力を持たせてあり、側面電源端子２５１，２５２にその弾性力をもって押圧力を印加して、接触状態を良好に保持する。
すなわち、コネクタ部の接触ピン４１２ｂの少なくとも一方は、コネクタ内でカードを保持するロックバネの機能を兼ね備えている。
これにより、前述の静電気の対策を講じつつ、接触する端子に対するフィンガープリントなどによる汚れからの保護を行う。
【００６７】
＜６．第６の実施形態＞
図１６は、本発明の第６の実施形態に係る電源端子、信号端子をなくし無線カードとして形成されたメモリカードの第１の構成例を示す図である。
【００６８】
本第６の実施形態に係るメモリカード２０Ｅは、無線による信号通信だけのカードとして機能し、外部電源端子のみをもつ例を示している。
この場合、非接触コイルによる給電機能を有していない。
【００６９】
＜７．第７の実施形態＞
図１７（Ａ）および（Ｂ）は、本発明の第７の実施形態に係る電源端子、信号端子をなくし無線カードとして形成されたメモリカードの第２の構成例を示す図である。
【００７０】
本第７の実施形態に係るメモリカード２０Ｆは、無線による信号通信だけのカードとして機能し、非接触コイル２３１による給電機能を有している。
また、メモリカード２０Ｆは、外部電源端子２５１を併せ持ち、第２の実施形態に係るメモリカードと同等の機能を有する。
【００７１】
＜８．第８の実施形態＞
図１８（Ａ）および（Ｂ）は、本発明の第８の実施形態に係る電源端子、グランド端子が側部に形成されたメモリカードの構成例を示す図である。
【００７２】
本第８の実施形態に係るメモリカード２０Ｇは、側面のそれぞれに電源端子２５３またはグランド端子２５４のいずれかが配置され、グランド端子２５４が電源端子２５３よりも長く形成されている。
これにより、コネクタがグランド端子２５４に最初に接触することによって、静電気によるカードの破壊のリスクを低減させることができる。
【００７３】
以上説明したように、本実施形態によれば、以下の効果を得ることができる。
無線によるデータ転送および非接触によるカードへの電力供給の双方が可能となれば、ユーザは利用可能エリアにカードを設置するだけで、データの転送を行うことが可能となる。
また、非接触による電力供給による供給量の制約から、カード-ホスト間のデータ転送速度が低下しないように、場合に応じて電力供給を電源端子またはそれとは独立して配設された電源端子を用いて行うことにより、データ転送を、カードおよびホスト機器が本来持つ最大の能力（速度）で実行できる。
カードの仕様としては、複数のデータ用端子及び電源供給用端子を有するものと、それに加えて、無線通信機能および非接触電力供給機能または外部電力供給端子を設ける。
これにより、多くの機器で互換性を保ち、状況に応じた利用方法を提供することが可能となる。
【符号の説明】
【００７４】
１０・・・カードシステム、２０，２０Ａ〜２０Ｇ・・・メモリカード、２１０・・・電子部品部、２３０・・・２次側電力供給部、２１１・・・フラッシュメモリ、２１２・・・コントローラ、２１３・・・コネクタ部、２３１・・・２次側コイル、３０・・・ホスト側電力供給装置、３１・・・１次側コイル、４０・・・第１のホスト装置、５０・・・第２のホスト装置。
【図１】
2011134174.tif 000003
【図２】
2011134174.tif 000004
【図３】
2011134174.tif 000005
【図４】
2011134174.tif 000006
【図５】
2011134174.tif 000007
【図６】
2011134174.tif 000008
【図７】
2011134174.tif 000009
【図８】
2011134174.tif 000010
【図９】
2011134174.tif 000011
【図１０】
2011134174.tif 000012
【図１１】
2011134174.tif 000013
【図１２】
2011134174.tif 000014
【図１３】
2011134174.tif 000015
【図１４】
2011134174.tif 000016
【図１５】
2011134174.tif 000017
【図１６】
2011134174.tif 000018
【図１７】
2011134174.tif 000019
【図１８】
2011134174.tif 000020